(57)【要約】【課題】  簡単な構成で冷却能力低下を抑制できるヒートポンプ式冷媒回路使用の自動販売機を提供する。【解決手段】  ３個の断熱室ＳＲ１〜ＳＲ３の全てで冷却を行うモードにあっては熱交換手段ＨＩＭを構成する熱交換部ＨＩＭａ，ＨＩＭｂの両方に冷媒が流れ、当該熱交換手段ＨＩＭによって第２の熱交換器ＣＵ４の出口側冷媒と圧縮機ＣＯＭの吸入側冷媒との間で熱交換が実施されるため、この熱交換によって第２の熱交換器ＣＵ４における放熱量不足を補うことができる。依って、３台の第１の熱交換器ＣＵ１〜ＣＵ３の全てを冷却熱源として利用しても第２の熱交換器ＣＵ４に放熱量不足を生じることがなく、各第１の熱交換器ＣＵ１〜ＣＵ３に適正な吸熱作用を発揮させて各断熱室ＳＲ１〜ＳＲ３における冷却能力低下を効果的に抑制することができる。【選択図】  図２
2005216111.tif 000002
【特許請求の範囲】
【請求項１】
複数個の断熱室と、各断熱室内にそれぞれ配置された複数台の商品収納ラックと、各断熱室内にそれぞれ配置された複数台の第１の熱交換器，断熱室外に配置された第２の熱交換器及び圧縮機を少なくとも有するヒートポンプ式冷媒回路とを備え、各第１の熱交換器における吸熱作用または放熱作用を利用して断熱室毎の商品冷却または商品加温を可能とした自動販売機であって、
第２の熱交換器の出口側冷媒と圧縮機の吸入側冷媒との間の熱交換を行う熱交換手段を備える、
ことを特徴とする自動販売機。
【請求項２】
熱交換手段は、２つの流路が熱的に接触した構成を備える、
ことを特徴とする請求項１に記載の自動販売機。
【請求項３】
冷媒回路を流れる冷媒は二酸化炭素である、
ことを特徴とする請求項１または２に記載の自動販売機。
【発明の詳細な説明】
【技術分野】
【０００１】
本発明は、収納商品を冷却または加温して販売可能な自動販売機に関する。
【背景技術】
【０００２】
この種の自動販売機にあっては、冷媒回路の蒸発器で冷却された空気を循環させることで商品冷却を実施し、電熱ヒータで加温された空気を循環させることで商品加温を実施するのは一般的であるが、最近では電熱ヒータを使用せずに冷媒回路をヒートポンプとして利用できるように構成し、前記蒸発器に相当する熱交換器で加温された空気を循環させることで商品加温を実施するようにしたものが知られている。また、ヒートポンプ式冷媒回路の圧縮機モータの回転数をインバータによって制御することにより、負荷に応じて冷媒循環量を変化させるようにしたものも知られている。
【特許文献１】特開２００２−２６９６２９号公報
【発明の開示】
【発明が解決しようとする課題】
【０００３】
ところで、断熱室内に配置された複数台の第１の熱交換器と断熱室外に配置された第２の熱交換器を備えたヒートポンプ式冷媒回路を用いて第１の熱交換器がそれぞれ配置された複数個の断熱室で商品冷却を同時に行うと、とりわけ熱負荷が高い夏期等では第２の熱交換器における放熱量不足が原因となって各断熱室における冷却能力が低下する恐れがある。また、インバータ制御によって冷媒循環量を変化させる方式では前記のような冷却能力低下を抑制できるが、インバータ制御を行うための回路が複雑で且つ高価であるため自動販売機自体の価格高騰を招く不具合がある。
【０００４】
本発明は前記事情に鑑みて創作されたもので、その目的とするところは、簡単な構成で冷却能力低下を抑制できるヒートポンプ式冷媒回路使用の自動販売機を提供することにある。
【課題を解決するための手段】
【０００５】
前記目的を達成するため、本発明は、各断熱室内にそれぞれ配置された複数台の商品収納ラックと、各断熱室内にそれぞれ配置された複数台の第１の熱交換器，断熱室外に配置された第２の熱交換器及び圧縮機を少なくとも有するヒートポンプ式冷媒回路とを備え、各第１の熱交換器における吸熱作用または放熱作用を利用して断熱室毎の商品冷却または商品加温を可能とした自動販売機であって、第２の熱交換器の出口側冷媒と圧縮機の吸入側冷媒との間の熱交換を行う熱交換手段を備える、ことをその特徴とする。
【０００６】
この自動販売機によれば、熱交換手段によって第２の熱交換器の出口側冷媒と圧縮機の吸入側冷媒との間の熱交換を行うことにより、この熱交換によって第２の熱交換器における放熱量不足を補うことができる。つまり、第１の熱交換器がそれぞれ配置された複数個の断熱室で商品冷却を同時に行う場合でも、第２の熱交換器における放熱量不足が原因となって各断熱室における冷却能力が低下することを抑制することができる。
【発明の効果】
【０００７】
本発明によれば、簡単な構成で冷却能力低下を抑制できるヒートポンプ式冷媒回路使用の自動販売機を提供することができる。
【０００８】
本発明の前記目的とそれ以外の目的と、構成特徴と、作用効果は、以下の説明と添付図面によって明らかとなる。
【発明を実施するための最良の形態】
【０００９】
図１〜図３は本発明の一実施形態を示すもので、図１は自動販売機の側面断面図、図２は図１に示した自動販売機の冷媒回路を示す図、図３（Ａ）〜図３（Ｃ）は図２に示した熱交換手段の具体例を示す図、図４は３個の断熱室の全てで冷却を行うモードにおける冷媒の流れを示す図、図５は熱交換手段を有しない場合と有する場合の図４対応のｐｈ線図（モリエル線図）、図６は３個の断熱室のうち２個の断熱室で冷却を行い、且つ、１個の断熱室で加温を行うモードにおける冷媒の流れを示す図、図７は３個の断熱室のうち１個の断熱室で冷却を行い、且つ、２個の断熱室で加温を行うモードにおける冷媒の流れを示す図である。
【００１０】
まず、図１を参照して自動販売機の構造について説明する。
【００１１】
キャビネット１は前面を開口した箱形を成し、前面を開口した断熱性内箱１ａをその内側に備えている。内箱１ａの内部空間は２枚の断熱性仕切り板（符号無し）によって左右に並ぶ３つの断熱室ＳＲ１〜ＳＲ３（図２参照）に区分されており、各単位室断熱室ＳＲ１〜ＳＲ３は後述の内扉５を閉じた状態で独立した断熱空間を構成する。
【００１２】
また、内箱１ａの前側には各断熱室ＳＲ１〜ＳＲ３の前面開口を開閉自在に覆う断熱性内扉５が設けられており、内箱１ａの上下左右の前端部（下側の前端部は底板１ｂの前端部）と各仕切り板の前端部には内扉５を閉じた状態で各断熱室ＳＲ１〜ＳＲ３を気密状態とするためのパッキン（符号無し）が設けられている。
【００１３】
さらに、内箱１ａの底板１ｂの下側には機械室ＭＲ（図２参照）が設けられ、この機械室ＭＲ内には冷媒回路を構成する機器のうちの圧縮機ＣＯＭ，第２の熱交換器ＣＵ４及び排熱用送風機Ｆ４等が設けられている。
【００１４】
各断熱室ＳＲ１〜ＳＲ３内にはシュート板３とダクト板４がそれぞれ配置され、その下側及び背面側の空間には冷媒回路を構成する機器のうちの第１の熱交換器ＣＵ１〜ＣＵ３及び空気循環用送風機Ｆ１〜Ｆ３等がそれぞれ配置されており、ダクト板４の背面側空間はダクトＤとして構成されている。
【００１５】
また、各断熱室ＳＲ１〜ＳＲ３内には、サーペンタイン式の商品収納ラック２が配置されている。この商品収納ラック２は前面側上部に商品補充口２ａを有し蛇行状の収納通路２ｂに缶入り飲料，瓶入り飲料，ペットボトル入り飲料等の商品Ｃを横向きで積み重ねた状態で収納している。さらに、商品収納ラック２の下部には収納商品Ｃを１個宛シュート板３上に落下搬出するための搬出機構２ｃが設けられている。
【００１６】
内扉５の下部には各断熱室ＳＲ１〜ＳＲ３のシュート板３に対応した窓穴５ａが複数個形成され、各窓穴５ａにはシュート板３を滑り落ちる商品Ｃによって押し開けられるフラップドア５ｂが設けられている。外扉６には商品取出口６ａとフラップドア５ｂからの商品Ｃを受容する商品受け板６ｂとが設けられており、搬出商品Ｃは商品取出口６ａに設けられたフラップドア（図示省略）を開けることにより外部に取り出すことができる。
【００１７】
次に、図２を参照して図１に示した自動販売機の冷媒回路について説明する。
【００１８】
この冷媒回路はヒートポンプとして利用できるように構成されたもので、冷媒として二酸化炭素，アンモニア，イソブタン，プロパン等の炭化水素，水，空気等の自然冷媒、望ましくは二酸化炭素が使用されている。
【００１９】
断熱室ＳＲ１は冷却専用で、この断熱室ＳＲ１内には第１の熱交換器ＣＵ１と送風機Ｆ１が配置されている。第１の熱交換器ＣＵ１の図中右側の出入口に接続された管路には膨張手段ＥＶ１と電磁弁ＳＶ１が設けられており、この管路は電磁弁ＳＶ４３に達している。
【００２０】
断熱室ＳＲ２は冷却・加温兼用で、この断熱室ＳＲ２内には第１の熱交換器ＣＵ２と送風機Ｆ２が配置されている。第１の熱交換器ＣＵ２の図中右側の出入口に接続された管路には逆止弁ＮＶ２１と膨張手段ＥＶ２と電磁弁ＳＶ２１が設けられ、これらを迂回する管路には逆止弁ＮＶ２２が設けられている。また、第１の熱交換器ＣＵ２の図中左側の出入口に接続された管路は電磁弁ＳＶ４４に達していて、これを迂回する管路には電磁弁ＳＶ２２と逆止弁ＮＶ２３が設けられている。
【００２１】
断熱室ＳＲ３は冷却・加温兼用で、この断熱室ＳＲ３内には第１の熱交換器ＣＵ３と送風機Ｆ３が配置されている。第１の熱交換器ＣＵ３の図中右側の出入口に接続された管路には逆止弁ＮＶ３１と膨張手段ＥＶ３と電磁弁ＳＶ３１が設けられ、これらを迂回する管路には逆止弁ＮＶ３２が設けられている。また、第１の熱交換器ＣＵ３の図中左側の出入口に接続された管路は電磁弁ＳＶ４５に達していて、これを迂回する管路には電磁弁ＳＶ３２と逆止弁ＮＶ３３が設けられている。
【００２２】
機械室ＭＲ内には圧縮機ＣＯＭと第２の熱交換器ＣＵ４と送風機Ｆ４とアキュムレータＡＬが配置されている。圧縮機ＣＯＭの吸入側管路（アキュムレータＡＬの上流側）には熱交換手段ＨＩＭを構成する熱交換部ＨＩＭｂが設けられ、この管路は同管路から分岐した管路を含めて第１の熱交換器ＣＵ１の図中左側の出入口，電磁弁ＳＶ４４，電磁弁ＳＶ５５，電磁弁ＳＶ４２にそれぞれ達している。さらに、圧縮機ＣＯＭの吐出側管路はこの管路から分岐した管路を含めて逆止弁ＮＶ２３，逆止弁ＮＶ３３，電磁弁ＳＶ４１に達している。
【００２３】
また、第２の熱交換器ＣＵ４の図中右側の出入口に接続された管路には熱交換手段ＨＩＭを構成する熱交換部ＨＩＭａと逆止弁ＮＶ４１が設けられており、この管路は同管路から分岐した管路を含めて電磁弁ＳＶ１，電磁弁ＳＶ２，電磁弁ＳＶ３にそれぞれ達している。また、第２の熱交換器ＣＵ４の図中左側の出入口に接続された管路から分岐した管路には逆止弁ＮＶ４２と膨張手段ＥＶ４と電磁弁ＳＶ４３が設けられている。さらに、第２の熱交換器ＣＵ４の図中左側の出入口に接続された管路は電磁弁ＳＶ４１に達しており、この管路から分岐した管路は電磁弁ＳＶ４２に達している
次に、図３（Ａ）〜図３（Ｃ）を参照して図２に示した熱交換手段ＨＩＭ（熱交換部ＨＩＭａ，ＨＩＭｂ）の具体例について説明する。
【００２４】
図３（Ａ）は断熱材（図示省略）によって覆われた二重管により熱交換手段ＨＩＭを構成したもので、内側管１１ａは熱交換部ＨＩＭａ，ＨＩＭｂの一方に相当し外側管１１ｂは熱交換部ＨＩＭａ，ＨＩＭｂの他方に相当する。図３（Ｂ）は内側管１２ａの周囲に外側管１２ｂを螺旋状に巻き付けこれらの周囲を断熱材（図示省略）によって覆うことにより熱交換手段ＨＩＭを構成したもので、内側管１２ａは熱交換部ＨＩＭａ，ＨＩＭｂの一方に相当し外側管１２ｂは熱交換部ＨＩＭａ，ＨＩＭｂの他方に相当する。図３（Ｃ）は管１３ａに沿うように別の管１３ｂを配置してこれらの周囲を断熱材１３ｃで覆うことによって熱交換手段ＨＩＭを構成したもので、管１３ａは熱交換部ＨＩＭａ，ＨＩＭｂの一方に相当し管１３ｂは熱交換部ＨＩＭａ，ＨＩＭｂの他方に相当する。何れのものも２つの流路が熱的に接触した構成を備えていて、各流路を流れる冷媒は流通過程で相互に且つ効率良く熱交換し得る。
【００２５】
図２に示した冷媒回路は電磁弁ＳＶ１，ＳＶ２１，ＳＶ２２，ＳＶ３１，ＳＶ３２，ＳＶ４１〜ＳＶ４５の開閉組み合わせにより、断熱室ＳＲ１に配置された第１の熱交換器ＣＵ１を冷却熱源として利用することで収納商品を冷却することができ、また、断熱室ＳＲ２に配置された第１の熱交換器ＣＵ２を冷却熱源または加温熱源として利用することで収納商品を冷却または加温することができ、さらに、断熱室ＳＲ３に配置された第１の熱交換器ＣＵ３を冷却熱源または加温熱源として利用することで収納商品を冷却または加温することができる。勿論、各第１の熱交換器ＣＵ１〜ＣＵ３に冷媒が流れないようにすることで収納商品を非冷却・加温状態とすることもできる。
【００２６】
図４は３個の断熱室ＳＲ１〜ＳＲ３の全てで冷却を行うモードにおける冷媒の流れを示すもので、図４下部にはこの場合の電磁弁ＳＶ１，ＳＶ２１，ＳＶ２２，ＳＶ３１，ＳＶ３２，ＳＶ４１〜ＳＶ４５の開閉組み合わせを記してある。
【００２７】
圧縮機ＣＯＭから吐出した冷媒は電磁弁ＳＶ４１，第２の熱交換器ＣＵ４，熱交換部ＨＩＭａ，逆止弁ＮＶ４１を経由して電磁弁ＳＶ１，ＳＶ２１，ＳＶ３１にそれぞれ送り込まれる。電磁弁ＳＶ１に送り込まれた冷媒は膨張手段ＥＶ１，第１の熱交換器ＣＵ１を経由して熱交換部ＨＩＭｂに送り込まれ、また、電磁弁ＳＶ２１に送り込まれた冷媒は膨張手段ＥＶ２，逆止弁ＮＶ２１，第１の熱交換器ＣＵ２，電磁弁ＳＶ４４を経由して熱交換部ＨＩＭｂに送り込まれ、さらに、電磁弁ＳＶ３１に送り込まれた冷媒は膨張手段ＥＶ３，逆止弁ＮＶ３１，第１の熱交換器ＣＵ３，電磁弁ＳＶ４５を経由して熱交換部ＨＩＭｂに送り込まれ、熱交換部ＨＩＭｂからアキュムレータＡＬを経由して圧縮機ＣＯＭの吸入口に戻る。
【００２８】
このモードにあっては３台の第１の熱交換器ＣＵ１〜ＣＵ３の全てが冷却熱源として利用されているため、とりわけ熱負荷が高い夏期等では第２の熱交換器ＣＵ４における放熱量不足が原因となって各断熱室ＳＲ１〜ＳＲ３における冷却能力が低下する恐れがあるが、このモードでは熱交換手段ＨＩＭを構成する熱交換部ＨＩＭａ，ＨＩＭｂの両方に冷媒が流れ当該熱交換手段ＨＩＭによって第２の熱交換器ＣＵ４の出口側冷媒と圧縮機ＣＯＭの吸入側冷媒との間で熱交換が実施されるため、この熱交換によって第２の熱交換器ＣＵ４における放熱量不足が補われる。
【００２９】
この点を図５（Ａ）と図５（Ｂ）に示したｐｈ線図（モリエル線図）により説明すると、前記のような熱交換が実施されない場合の冷凍サイクル（図５（Ａ）参照）に比べ、前記のような熱交換が実施される場合の冷凍サイクル（図５（Ｂ）参照）は冷凍サイクルの凝縮過程を示す線分及び蒸発過程を示す線分が左右に伸びた状態（凝縮過程及び蒸発過程に係るエンタルピーが増加した状態）となり、この場合の成績係数ｃｏｐ２（ｃｏｐ２＝ａ２／ｂ２）は、熱交換が実施されない場合の成績係数ｃｏｐ１（ｃｏｐ１＝ａ１／ｂ１）に比べて格段高くなる。
【００３０】
依って、３台の第１の熱交換器ＣＵ１〜ＣＵ３の全てが冷却熱源として利用しても第２の熱交換器ＣＵ４に放熱量不足を生じることがなく、各第１の熱交換器ＣＵ１〜ＣＵ３に適正な吸熱作用を発揮させて各断熱室ＳＲ１〜ＳＲ３における冷却能力低下を効果的に抑制することができる。
【００３１】
図６は３個の断熱室ＳＲ１〜ＳＲ３のうち２個の断熱室ＳＲ１，ＳＲ２で冷却を行い、且つ、１個の断熱室ＳＲ３で加温を行うモードにおける冷媒の流れを示すもので、図６下部にはこの場合の電磁弁ＳＶ１，ＳＶ２１，ＳＶ２２，ＳＶ３１，ＳＶ３２，ＳＶ４１〜ＳＶ４５の開閉組み合わせを記してある。
【００３２】
圧縮機ＣＯＭから吐出した冷媒は逆止弁ＮＶ３３，電磁弁ＳＶ３２，第１の熱交換器ＣＵ３，逆止弁ＮＶ３２を経由して電磁弁ＳＶ１，ＳＶ２１にそれぞれ送り込まれる。電磁弁ＳＶ１に送り込まれた冷媒は膨張手段ＥＶ１，第１の熱交換器ＣＵ１を経由して熱交換部ＨＩＭｂに送り込まれ、また、電磁弁ＳＶ２１に送り込まれた冷媒は膨張手段ＥＶ２，逆止弁ＮＶ２１，第１の熱交換器ＣＵ２，電磁弁ＳＶ４４を経由して熱交換部ＨＩＭｂに送り込まれ、熱交換部ＨＩＭｂからアキュムレータＡＬを経由して圧縮機ＣＯＭの吸入口に戻る。
【００３３】
このモードにあっては、３台の第１の熱交換器ＣＵ１〜ＣＵ３のうち２台の第１の熱交換器ＣＵ１，ＣＵ２が冷却熱源として利用され、１台の第１の熱交換器ＣＵ３が加温熱源として利用されているが、図４で説明したモード時のような放熱量不足を生じることなく２台の第１の熱交換器ＣＵ１，ＣＵ２に適正な吸熱作用を発揮させることができ、また、１台の第１の熱交換器ＣＵ３に適正な放熱作用を発揮させることができる。
【００３４】
図７は３個の断熱室ＳＲ１〜ＳＲ３のうち１個の断熱室ＳＲ１で冷却を行い、且つ、２個の断熱室ＳＲ２，ＳＲ３で加温を行うモードにおける冷媒の流れを示すもので、図７下部にはこの場合の電磁弁ＳＶ１，ＳＶ２１，ＳＶ２２，ＳＶ３１，ＳＶ３２，ＳＶ４１〜ＳＶ４５の開閉組み合わせを記してある。
【００３５】
圧縮機ＣＯＭから吐出した冷媒は逆止弁ＮＶ２３，ＮＶ３３にそれぞれ送り込まれる。逆止弁ＮＶ２３に送り込まれた冷媒は電磁弁ＳＶ２２，第１の熱交換器ＣＵ２，逆止弁ＮＶ２２を経由して電磁弁ＳＶ１，ＳＶ４３にそれぞれ送り込まれ、また、逆止弁ＮＶ３３に送り込まれた冷媒は電磁弁ＳＶ３２，第１の熱交換器ＣＵ３，逆止弁ＮＶ３２を経由して電磁弁ＳＶ１，ＳＶ４３にそれぞれ送り込まれる。電磁弁ＳＶ１に送り込まれた冷媒は膨張手段ＥＶ１，第１の熱交換器ＣＵ１を経由して熱交換部ＨＩＭｂに送り込まれ、また、電磁弁ＳＶ４３に送り込まれた冷媒は膨張手段ＥＶ４，逆止弁ＮＶ４２，第２の熱交換器ＣＵ４，電磁弁ＳＶ４２を経由して熱交換部ＨＩＭｂに送り込まれ、熱交換部ＨＩＭｂからアキュムレータＡＬを経由して圧縮機ＣＯＭの吸入口に戻る。
【００３６】
このモードにあっては、３台の第１の熱交換器ＣＵ１〜ＣＵ３のうち１台の第１の熱交換器ＣＵ１が冷却熱源として利用され、２台の第１の熱交換器ＣＵ２，ＣＵ３が加温熱源として利用されているが、図４で説明したモード時のような放熱量不足を生じることなく１台の第１の熱交換器ＣＵ１に適正な吸熱作用を発揮させることができ、また、２台の第１の熱交換器ＣＵ２，ＣＵ３に適正な放熱作用を発揮させることができる。
【００３７】
このように前述の自動販売機によれば、３個の断熱室ＳＲ１〜ＳＲ３の全てで冷却を行うモードにあっては、とりわけ熱負荷が高い夏期等では第２の熱交換器ＣＵ４における放熱量不足が原因となって各断熱室ＳＲ１〜ＳＲ３における冷却能力が低下する恐れがあるが、このモードでは熱交換手段ＨＩＭを構成する熱交換部ＨＩＭａ，ＨＩＭｂの両方に冷媒が流れる当該熱交換手段ＨＩＭによって第２の熱交換器ＣＵ４の出口側冷媒と圧縮機ＣＯＭの吸入側冷媒との間で熱交換が実施されるため、この熱交換によって第２の熱交換器ＣＵ４における放熱量不足を補うことができる。依って、３台の第１の熱交換器ＣＵ１〜ＣＵ３の全てを冷却熱源として利用しても第２の熱交換器ＣＵ４に放熱量不足を生じることがなく、各第１の熱交換器ＣＵ１〜ＣＵ３に適正な吸熱作用を発揮させて各断熱室ＳＲ１〜ＳＲ３における冷却能力低下を効果的に抑制することができる。
【００３８】
この作用効果は、冷凍サイクルの凝縮過程及び蒸発過程のエンタルピーがフロン系冷媒に比べて減少する自然冷媒、特に二酸化炭素を使用した場合でも同様に得ることができ、これにより冷媒として二酸化炭素を使用する場合でもフロン系冷媒を使用した場合と変わりのない冷却能力を得ることができる。
【００３９】
また、前記の熱交換手段ＨＩＭとして図３（Ａ）〜図３（Ｂ）に示すもの、即ち、２つの流路が熱的に接触した構成を備えたものを使用しているので、各流路を流れる冷媒を流通過程で相互に且つ効率良く熱交換させて、先に述べた第２の熱交換器ＣＵ４における放熱量不足を確実に補うことができる。
【００４０】
尚、前述の説明では、３台の第１の熱交換器ＣＵ１〜ＣＵ３を有するものを冷媒回路として例示したが、２台或いは４台以上の第１の熱交換器を有するものを冷媒回路として用いて２台或いは４台以上の第１の熱交換器の全てを冷却熱源と利用する場合でも前記同様の作用効果を得ることができる。
【００４１】
また、前述の説明では、ヒートポンプ式の冷媒回路して図２に示す構成のものを例示したが、冷媒回路の構成はこれに制限されるものではなく、各断熱室にそれぞれ配置した第１の熱交換器における吸熱作用または放熱作用を利用して断熱室毎の商品冷却または商品加温を行うことが可能な回路構成であれば前記冷媒回路として使用することができ、且つ、前記同様の作用効果を得ることができる。
【００４２】
さらに、前述の説明では、熱交換手段ＨＩＭによる熱交換によって第２の熱交換器ＣＵ４における放熱量不足を抑制するものを例示したが、圧縮機ＣＯＭとして多段圧縮が可能なもの、例えば圧縮機を２台直列に接続した構成を採用して前記のエンタルピー増加を補助するようにしても構わない。
【図面の簡単な説明】
【００４３】
【図１】本発明の一実施形態を示す自動販売機の側面断面図である。
【図２】図１に示した自動販売機の冷媒回路を示す図である。
【図３】図２に示した熱交換手段の具体例を示す図である。
【図４】３個の断熱室の全てで冷却を行うモードにおける冷媒の流れを示す図である。
【図５】熱交換手段を有しない場合と有する場合の図４対応のｐｈ線図（モリエル線図）である。
【図６】３個の断熱室のうち２個の断熱室で冷却を行い、且つ、１個の断熱室で加温を行うモードにおける冷媒の流れを示す図である。
【図７】３個の断熱室のうち１個の断熱室で冷却を行い、且つ、２個の断熱室で加温を行うモードにおける冷媒の流れを示す図である。
【符号の説明】
【００４４】
ＳＲ１〜ＳＲ３…断熱室、２…商品収納ラック、ＣＯＭ…圧縮機、ＣＵ１〜ＣＵ３…第１の熱交換器、ＣＵ４…第２の熱交換器、ＨＩＭ…熱交換手段、ＨＩＭａ…熱交換部、ＨＩＭｂ…熱交換部、１１ａ…内側管、１１ｂ…外側管、１２ａ…内側管、１２ｂ…外側管、１３ａ，１３ｂ…管。
【図１】
2005216111.tif 000003
【図２】
2005216111.tif 000004
【図３】
2005216111.tif 000005
【図４】
2005216111.tif 000006
【図５】
2005216111.tif 000007
【図６】
2005216111.tif 000008
【図７】
2005216111.tif 000009